(57)【要約】【課題】従来のワームの装着方法おいては、ワーム先端部からワーム後部にかけて突き通すという装着方法を取る為、竿で投げた場合や水底の岩にワームが擦れるとワームのずれ、変形、脱落が頻繁に発生した。また、ワームに内包される金属部分が多く、本来のワームのコンニャク状素材の柔軟性、弾力性のメリットを損なってしまっている。【解決手段】従来のワーム先端部から後方に装着するというワームの装着方法から、ワームの腹部から背中方向へ装着するという構造を持つ装着金具の考案によって、ワームのずれ、変形、脱落を解決する。装着方法は、前方の湾曲した鈎状の係止部（３）をワーム腹部から挿入した後、アーム（４）をワームの腹部から背中部方向へ貫通させ、ワームの一部を挟持することで装着する構造とし、ワームに内包される金属部分を従来以下に抑えることでワームの最大メリットである柔軟性・弾力性を従来以上に確保する。【選択図】図１
2008212133.tif 000002
【特許請求の範囲】
【請求項１】
ワームを乗せるための台座部材と、前記台座部材の前部に第１の孔と、前記台座部材の上部に設けられワームに挿入される係止部と、前記係止部と間隔を開けて前記台座部材の上部にワームに貫通させるためのアームを設け、先端部に第２の孔が設けられている。かつ、前記第１の孔の位置は、前記第２の孔の台座部材への投影位置も含めた前記第２の孔より前方にあることを特徴とするワームへの装着金具。
【請求項２】
前記ワームに貫通させるためのアームを前記台座部材の前部に設け、間隔を開けて前期係止め部が前記アームより後方に有り、前記第２の孔は、台座部材への投影位置が前記第１の孔より後方にあることを特徴とするワームへの装着金具。
【請求項３】
請求項１及び請求項２の、前記台座部材の後方下部に第三の孔を設けたことを特徴とするワームへの装着金具。
【発明の詳細な説明】
【技術分野】
【０００１】本発明は、釣り具に関するものである。
【背景技術】
【０００２】従来の技術の１０図（特許公開２０００−３２８７５）及び１１図（特許公開２０００−２０１５７３）のワームの装着方法の問題点は、ワーム口部から尻尾方向に突きて刺すという方法であった為、竿で投げると同時に慣性により、釣り針の後部へワームが押し戻され、また水中の岩にワームが擦れると釣り針からのワームの後方部へのずれと、それによるワームの変形、脱落が頻繁に発生した。【０００３】ワームのズレを防止する為に、釣り針にワームを通した後に釣り針にずれ止めのゴム管を通す補完器具（特許公開２０００−６０３６２）もあるが、ワーム素材で伸縮性大きなものには万全ではない。【０００４】従来の技術図１２図のような（特許公開平１０−２６２５０１、特許公開平１０−１１７６３７、特許公開平９−２８５２４５）事前に釣り針を取り付けられる装着金具をワームに突き刺した後に、その金属アームに釣り針を取り付ける手法もあるが、釣り針のみでの装着方法よりもワームの後方部へのずれ、それによるワームの変形及び脱落を防止できるが、ワームに差し通される金属部分が多く、コンニャク状素材で出来ているワーム素材の最大の利点である柔軟性や弾力性を損なってしまっている。【０００５】また、金属アームのワームへの差込み径が大きい為、装着が難しく、装着の際にワーム自体を破損させてしまう場合も多い。
【発明が解決しようとする課題】
【０００６】解決しようとする問題点は、従来の技術の１０図や１１図の、ワームが釣り針の後部へ押し戻されるという問題点では、ワームの先端部から後方部方向に刺し込むという方法であるから、竿で投げると同時に慣性の働きによってワームの釣り針からの後方へのずれはやむをえない。よって、ワームの先端部から後方に刺し込むという、従来の装着方法とは異なるワームへの装着金具の考案を課題とした。
【０００７】ワームの素材としての最大の利点は、コンニャク状素材からくる柔軟性、弾力性での、水中での微動、魚が咥えた時の違和感の少なさである。従来の実施例の図１２図のような、ワームのずれや外れは止できるがワームの柔軟性、弾力性を損なう構造では、ワームの本来の最大利点を損なってしまっている。よって、ワームのその最大利点を従来以上に活かした構造とすることも課題とした。
【０００８】装着金具をワームの先端部だけでなく、ワーム後部へ移動させての装着を可能とさせることでワームの頭部の動きも可能とさせ、用途を広げられる構造も課題とした。
【０００９】リールを巻き、水中でワームを引くことよってワームを泳がすという従来の主なワームの使用方法から、引くことによってワームを動かすのではなく、竿先のわずかな上下動による振動でワームを動かすことの出来る構造を取り入れることも課題とした。
【課題を解決するための手段】
【００１０】請求項１及び請求項２に記載の発明は、図１により、ワームの腹部から湾曲した係止部（３）を挿入後、アーム（４）をワームに貫通させ、ワームへの腹部からの装着方法を取り、係止部（３）とアーム（４）で、ワームの一部を挟持することでワームのずれや外れ及び脱落を防止できることを特徴とするものである。
【００１１】また、この装着構造とすることにより、従来の方法より小さな金具でワームのずれ、そのことによる変形、脱落を従来以上に防止でき、従来技術よりワームに開放される金属部分が少ない為、ワームの最大利点である柔軟性、弾力性を従来の装着方法以上に維持、確保できることを特徴とするものである。る。
【００１２】請求項３の発明は、請求項１及び請求項２での発明に第３の孔を設けることによって、既存の様々な釣り針をつなぐことができるよう多様性を併せることを特徴とするものである。
【００１３】孔（２）を台座（１）の先端下部に設けることによって、図２から図３のように、ワームの先端部だけでなくワーム頭部から後部へ移動させて装着することも可能となる。
【００１４】また従来のワームへの装着方法では、道糸を結ぶ孔をワームの前方一ヶ所としているが、この装着金具においては、あえて孔（２）、孔（５）の２つの孔を設けることとし、その理由はワームの形状上とワーム後部には釣り針が設置されることで、水中ではワーム後部の沈下が先行する状態となり、孔（５）に道糸を結び、孔（２）に錘をつなげた釣り糸を結んだ場合に、釣竿の竿先を振動させると二つの孔を設けたことにより、梃子の原理が働き台座（１）後部は、わずかな振動でワームを上下に大きく動かすことが可能となる。
【発明の効果】
【００１５】本発明によれば、１０図、１１図の従来の技術での問題点の、竿で投げた場合や水底の岩等にワーム擦れた場合に起こるワームの後方部へのずれ、そのことによるワームの変形、しいてはワームの脱落は、図１の（Ａ）図の通り、この考案のワームに対して腹部から背中部方向に係止部（３）、アーム（４）で装着するという構造とすることで解決される。
【００１６】本発明によれば、図１２の従来の装着金具での問題点である金属挿入部分が多くワーム本来の利点である柔軟性、弾力性を損なってしまっている点については、図２の通りこの考案の装着金具では、ワームに内包される金属部分が従来の方法より遥かに少なく、結果ワームの本来の利点である柔軟性、弾力性を従来以上に活かすことができる。
【００１７】本発明によれば、図２の通り、この考案の装着金具の装着位置はワームの先端部に限定せず、先端部以外にも装着可能とさせており、同じワームであってもこの金具の装着位置を変えることによって水中でのワームの動き、及び用途も変られることも可能となった。
【００１８】本発明によれば、この考案の装着金具は図１図の通り、台座（１）に対して接続の為の孔をあえて２つ設けることによって梃子の原理を応用し、先に沈下するワーム後部を、竿先のわずかなしゃくりで台座（１）後部を上部に跳ね上げ、連動してワームを大きく振動させることを可能となった。
【発明を実施するための最良の形態】
【００１９】金属板をレーザーによって、図１の形状に切り抜くことによって整形されるものであり、金属棒を曲げてこの装着金具と同機能に成型することも可能ではあるが、レーザーでの成型と同じ大きさで作成した場合に強度が不足し、また強度を併たせる為には金属棒の線径をレーザーでのものより太くする必要があり、結果として重量が重くなるため、現時点では金属棒を曲げての作成は理想的なものとは言えない。【００２０】形状としては、図１の台座（１）の先端部分にワームに挿入される湾曲した鈎状の係止部（３）と、台座（１）の下に孔（２）を設けてあり、台座（１）の後端から２ｍｍ以上の間隔を置いた位置に、ワームを腹部から貫く為のアーム（４）の接合部があり、そのアームの先端部には接続用の第二の孔（５）を設けている。台座（１）の後端から２ｍｍ以上の間隔を空けている意味合いは、使用を重ねる度に広がってくるその径により、ワームが台座下へのずれ防止の為である。
第二の孔（５）の設置位置は、第一の孔（２）の中心点から上方への垂線上もしくは、それより後方に第二の孔（３）の中心点があることを設置条件とする。【００２１】湾曲した係止部（３）は、極力ワーム全体に変形を起こさず挿入できるように湾曲となっているが、目的とする機能は同じであっても、ワーム自体の形状や大きさ、素材の弾力性や伸縮性に差がある為、図７、図８、図９のような係止めの形状及び設置位置も実施例とする。
【実施例１】
【００２１】図１は、この装着金具の断面図で、（１）は、ワームが乗せられる台座部材であり、（２）は、第１の孔であり、（３）は、ワームに挿入される係止部、（４）は、ワームを貫通させるためのアームであり、（５）は、前記アームの先端に設けられた第２の孔である。台座部材に接合された前記アームの後部に、２ｍｍほどの凸部を設けているが、前記アームをワームに貫通させる際にできる差込みの穴は、使用頻度により広がってしまう可能性が高く、台座部材よりワームが下方に下がり変形することを防止する目的として設けてある。【００２２】図２は、この考案の装着金具の、ワーム前部に装着した実施例である【００２３】図３は、この考案の装着金具をワーム前部から後方に移動させた位置に装着した実施例であって、移動させ装着させるによってワーム頭部の弾力性が増し、微細な頭部の動きも可能となる。【００２４】図４は、台座部材前部にある係止部の形状を、矢じり状とした実施例である。ワームへの装着が図１の実施例より容易なことが利点である。しかし、図３のようなワーム頭部が上下に揺れる動きとなる場合の係止めの強度は図１のほうが優る。【００２５】図５は、係止部の形状を、図１の湾曲状から角状にし、前記アームを前方へ、前記台座部材に対し鋭角な角度を持たせたものである。係止部の形状においては角状のほうが、図１の係止部の形状より製作コストを低く抑えられるのが利点である。しかし、ワームの挿入部分にわずかな変形をもたらす場合も発生する。【００２６】図６は、図１の実施例の前記台座部材後部下部に第３の孔を設けた請求項３の実施例であり、トリプルフック等の複数の針先を持つ釣り針を、釣り糸を使わずつなぐことができるために設けた孔である。この場合、台座アーム後部の凸部の機能を兼用させても良い。【００２７】図７は、ワームに貫通させるための前記アームを、前記台座部材の前部に設け、間隔を開けて係止部を設けた実施例であり、ワームの前方に装着強度が必要な場合の実施例である。【００２８】図８は、ワーム素材であっても弾力性、伸縮性にも格差が有り、伸縮に富む素材に対して、ワームにアー貫通させた後に、ワームを引き伸ばしながら後部の係止部に挿入して装着する実施例である。【００２９】図９は、図７の実施例の前記台座後部下部に、第三３の孔を設けた、請求項３の実施例である。【００３０】図１０図は、従来の技術による釣り針によるワームの装着例図【００３１】図１１図は、従来の技術によるオフセットフックによるワームの装着例図【００３２】図１２図は、従来の技術による装着間具をワーム先端部から挿入する装着例図
【図面の簡単な説明】
【００３３】
【図１】この装着金具の断面図
【図２】装着金具のワーム前部への装着例
【図３】装着金具をワーム前部から後方へ移動させた装着例
【図４】係止部（３）を矢じり状とし、アーム（４）を台座部材に対し垂直に設置した実施例
【図５】係止部（３）を角型の鈎状とした実施例
【図６】請求項３による、前記台座部材後方下部に第３の孔を設けた実施例
【図７】図４の、係止部とアームの設置位置を前後入れ替えた実施例
【図８】図４の、係止部とアームの設置位置を前後入れ替え、アームは台座前方に、係止部は台座部材後方に鋭角な角度を持たせた実施例
【図９】図７の台座部材後方下部に、第３の孔を設けた請求項３の実施例。
【図１０】従来の技術による釣り針によるワームの装着例図
【図１１】従来の技術によるオフセットフックによるワームの装着例図
【図１２】従来の技術による装着間具をワーム先端部から挿入する装着例図
【図１】
2008212133.tif 000003
【図２】
2008212133.tif 000004
【図３】
2008212133.tif 000005
【図４】
2008212133.tif 000006
【図５】
2008212133.tif 000007
【図６】
2008212133.tif 000008
【図７】
2008212133.tif 000009
【図８】
2008212133.tif 000010
【図９】
2008212133.tif 000011
【図１０】
2008212133.tif 000012
【図１１】
2008212133.tif 000013
【図１２】
2008212133.tif 000014